(57)【要約】  【課題】フレキシブルプリント基板に非スルーホールや不用部分の除去などの形状加工について、打ち抜き用パンチが下型のパンチ穴からテーパ部へ突出する位置まで挿通されない短いストロークの金型を使用しても、フレキシブルプリント基板の抜きかすが下型の表面に飛び出すことなく、下型のテーパ部から順次下方へ排出されるようにする。  【解決手段】フレキシブルプリント基板１４には絶縁層１７の両面に銅箔１６ａ，１６ｂによって円形ランドが形成され、破線Ａによって囲繞されている部分をパンチング加工する場合は、破線Ａの内側部分１８の銅箔を予めエッチングにて除去して絶縁層１７を露出させておく。破線Ａ部分を打ち抜き用パンチにてパンチング加工すると、抜きかすの内側部分１８が絶縁層１７のみとなるため屈曲しやすくなり、抜きかすと下型との反発力が緩和されて、抜きかすが下型から飛び出すことを防止できる。【選択図】図１
2006190835.tif 000002
【特許請求の範囲】
【請求項１】
フレキシブルプリント基板に開口部を打ち抜き形成するパンチング加工であって、該パンチング加工する箇所が、絶縁層の片面または両面に銅箔が施されているパターン形成部位である場合のパンチング加工において、
前記開口部をパンチング加工する前に、該開口部となる内側の前記パターン形成部位を予めエッチングにて除去して前記絶縁層を露出させておくことを特徴とするフレキシブルプリント基板のパンチング加工方法。
【請求項２】
フレキシブルプリント基板に開口部を打ち抜き形成するパンチング加工であって、該パンチング加工する箇所が、絶縁層の片面または両面にシートやフィルムなどの回路基板用補材が貼着されている補材部位である場合のパンチング加工において、
前記開口部をパンチング加工する前に、該開口部となる内側の前記補材を予め除去して前記絶縁層を露出させておくことを特徴とするフレキシブルプリント基板のパンチング加工方法。
【請求項３】
フレキシブルプリント基板に開口部を打ち抜き形成するパンチング加工であって、該パンチング加工する箇所に銅箔が施されてなく、絶縁層が露出している露出部位である場合のパンチング加工において、
前記開口部をパンチング加工する前に、該開口部となる内側の前記露出部位に、予めパターン形成のエッチング処理時に絶縁層の片面または両面の少なくとも一部分に銅箔を残存させておくことを特徴とするフレキシブルプリント基板のパンチング加工方法。
【請求項４】
フレキシブルプリント基板に開口部を打ち抜き形成するパンチング加工であって、該パンチング加工する箇所に銅箔が施されてなく、絶縁層が露出している露出部位である場合のパンチング加工において、
前記開口部をパンチング加工する前に、該開口部となる内側の前記露出部位に、予めソルダーレジスト層形成時に絶縁層の片面または両面にソルダーレジスト層を形成しておくことを特徴とするフレキシブルプリント基板のパンチング加工方法。
【発明の詳細な説明】
【技術分野】
【０００１】
本発明は電子機器に使用されるフレキシブルプリント基板のパンチング加工方法に関するものであり、特に、電子部品を搭載するための非スルーホール加工や不用部分の除去などの形状加工について、打ち抜き用パンチを使用して開口部を打ち抜き形成するパンチング加工方法に関するものである。
【背景技術】
【０００２】
可撓性を有するフレキシブルプリント基板に、非スルーホールや電子部品を収納する開口部などを形成する方法として、打ち抜き用パンチを使用するパンチング加工が広く行われている。通常は、絶縁基板上に銅箔などで必要な導体回路を形成し、カバーレイ、ソルダーレジスト層などで被覆した後に、パンチング加工が行われる。
【０００３】
従来のパンチング加工では、上型と下型との間にフレキシブルプリント基板を挿入し、上型の押さえ板でフレキシブルプリント基板を押さえながらパンチングする方法が知られている（例えば、特許文献１参照）。特許文献１記載の金型を図７に示す。この金型は上型１１と下型１２とからなり、上型１１は打ち抜き用パンチ１３の基端部が嵌着されているプレート１１ａと、打ち抜き用パンチ１３の先端部が挿入されているサポート穴１１ｂを有する押さえ板（特許文献１では上型プレート）１１ｃとから構成され、下型１２には前記打ち抜き用パンチ１３の先端部が挿入されてフレキシブルプリント基板が打ち抜かれるパンチ穴１２ａを有し、該パンチ穴１２ａの下部は徐々に拡径されてテーパ部１２ｂが設けられている。
【０００４】
図８に示すように、上型１１と下型１２との間にフレキシブルプリント基板１４を挿入し、図示はしないが、フレキシブルプリント基板１４に開穿されたガイド穴を、下型１２に立設されたガイドピンに挿通させて位置合わせが行われる。
【０００５】
図９に示すように、上型１１が下降してくると、先ず押さえ板１１ｃがフレキシブルプリント基板１４を下型１２との間に挟み込み、フレキシブルプリント基板１４の歪みや曲がりなどを矯正する。この押さえ板１１ｃは、ばね機構（図示せず）によってフレキシブルプリント基板１４を挟み込んだまま固定し、この状態で、上型のプレート１１ａおよびそれに嵌着された打ち抜き用パンチ１３が一体に下降すると、打ち抜き用パンチ１３の先端部が下型のパンチ穴１２ａに挿入されて、打ち抜き用パンチ１３と下型１２とのせん断によりフレキシブルプリント基板１４が打ち抜かれる。
【０００６】
図１０に示すように、打ち抜き用パンチ１３が下型のパンチ穴１２ａを抜けてテーパ部１２ｂの位置まで挿通されれば、フレキシブルプリント基板１４の抜きかす１５が下型１２の下方へ落下し、抜きかす１５が下型１２内に詰まることはない。そのためには、打ち抜き用パンチ１３の全長及び下型１２とのストローク（下型のパンチ穴１２ａへの挿通長さ）を長くする必要がある。
【０００７】
一般に、打ち抜き用パンチ１３の全長は短い方が加工精度がよく、また、上型のプレート１１ａに嵌着された際に突出長さが短い方が垂直角度の精度が向上する。さらに、下型１２とのストロークが短い方が摩擦が少なくて済み、金型の寿命も長くなる。そこで、打ち抜き用パンチ１３の全長及びストロークはできる限り短い方が好ましく、フレキシブルプリント基板１４の打ち抜きに必要なストロークは、フレキシブルプリント基板１４の先端部が下型１２の表面からパンチ穴１２ａへ０．３mm〜０．５mm程度挿通されれば十分である。
【０００８】
これに対して、下型のパンチ穴１２ａの表面からテーパ部１２ｂの最上部までの長さは、下型１２を例えばＨＳ鋼などの硬度の高い材質を使用しても、強度確保のために２mm以上とる必要がある。したがって、前述したように、フレキシブルプリント基板１４の打ち抜きストロークを０．３mm〜０．５mm程度にした場合は、図１１に示すように、打ち抜き用パンチ１３の先端部が下型のパンチ穴１２ａを抜けてテーパ部１２ｂの位置まで挿通されず、フレキシブルプリント基板１４の抜きかす１５が下型のパンチ穴１２ａの内部に詰まり、破線Ｇ部分に示すように、抜きかす１５が順次蓄積されていくことになる。
【０００９】
これが、下型のテーパ部１２ｂまで到達して順次排出されれば問題が生じることはないが、図１２に示すように、抜きかす１５がパンチ穴１２ａから下型１２の表面へ飛び出すことがある。
【００１０】
抜きかす１５がパンチ穴１２ａから飛び出す原因としては次のように考えられる。フレキシブルプリント基板１４に非スルーホールなどを形成するために、両面に銅箔がある箇所をパンチング加工した場合は、図１３に示すように、抜きかす１５の上側の銅箔部分１６ａが下側の銅箔部分１６ｂよりも大きい略逆台形状となる。これはパンチング加工がせん断によって裁断されるためである。
【００１１】
したがって、図１４に示すように、フレキシブルプリント基板１４の抜きかす１５が下型のパンチ穴１２ａの内部に押し込まれたときに、破線Ｈ部分のように上面側が凸状に湾曲し、その反発力で抜きかす１５が下型１２の表面へ飛び出すことがある。
【００１２】
一方、フレキシブルプリント基板１４の不用部分をパンチングする場合に、銅箔がエッチングにて除去されて絶縁層のみとなっているときは機械的強度が低いため、図１５に示すように、抜きかす１５が褶曲した状態となる。
【００１３】
したがって、図１６に示すように、フレキシブルプリント基板１４の抜きかす１５が下型のパンチ穴１２ａの内部に押し込まれたときに、破線Ｉ部分に示すように褶曲している抜きかす１５が下型のパンチ穴１２ａの内周面に引っ掛かりにくく、打ち抜き用パンチ１３が上昇する際に、抜きかす１５が瞬間的に打ち抜き用パンチ１３の先端部下面に真空吸着して下型１２の上方へ持ち上げられるものと考えられる。
【００１４】
このように、何れかの原因で、フレキシブルプリント基板１４の抜きかす１５が下型１２の表面に飛び出すと、次の工程で新たなフレキシブルプリント基板１４をパンチング加工したときに、飛び出した抜きかす１５が下型１２とフレキシブルプリント基板１４との間に挟まれて、フレキシブルプリント基板１４に打痕などの不具合を生じることになる。
【００１５】
このため、新たなフレキシブルプリント基板１４を装着する際に、その都度、下型１２の表面に抜きかす１５がないことを確認し、万一、抜きかす１５があるときは、エアブローやブラッシングで抜きかす１５を除去した後に、次のフレキシブルプリント基板１４を装着しなければならず、作業効率が悪化するという問題があった。
【００１６】
フレキシブルプリント基板１４の抜きかす１５が下型１２の表面に飛び出さないように、下型１２の下部を密閉構造にして抜きかす１５をエアにて吸引排出する方法も考えられるが、フレキシブルプリント基板１４にパンチング加工する箇所が複数あって同一系統で吸引する場合は、複数箇所のうち何れか一つの箇所で抜きかす１５が排出された瞬間に、吸引圧力が低下して吸引排出操作が連続的には行えないという欠点がある。パンチング加工するすべての箇所へ個別に吸引手段を設置すればよいが、金型構造が複雑となって現実には困難である。
【００１７】
このほか、パンチング加工する際に開口部周辺にクラックが発生するのを防止するために、パンチング加工する箇所に予め開口部より小さい穴をドリル加工で開穿しておく方法（例えば特許文献２及び特許文献３参照）や、開口部をパンチング加工する前に、開口内側周辺に複数の穴をドリル加工で開穿しておく方法（例えば特許文献４参照）や、スリット穴形成部に予め小径の予備穴を開穿しておき、突起を設けたスリット穴用パンチで予備穴をパンチング加工する方法（例えば特許文献５参照）などが知られている。
【特許文献１】特開平７−２４７９２号公報
【特許文献２】特開昭６４−５１２９５号公報
【特許文献３】特開平７−２５６５９４号公報
【特許文献４】特開平６−１６４１００号公報
【特許文献５】特開平７−２４７９３号公報
【発明の開示】
【発明が解決しようとする課題】
【００１８】
特許文献１記載の発明は、前述したように、打ち抜き用パンチの先端部が下型のパンチ穴からテーパ部へ突出する位置までのストロークが長いため、加工精度並びに垂直角度の精度を向上するのが困難であり、摩擦が多いために金型の寿命が短くなりやすい。ストロークを短くすると、パンチ穴の内部に抜きかすが蓄積され、その抜きかすが下型の表面に飛び出すことがあり、作業効率が悪化するという不具合があった。
【００１９】
特許文献２、特許文献３、特許文献４記載の発明は、何れも、開口部周辺にクラックが発生するのを防止するとともに、エアにて吸引しなくても抜きかすが下型の表面に飛び出すのを防止できる。しかし、最近では直径１mm未満の非スルーホールをパンチング加工で形成することや、局部的に細かい形状を打ち抜くこともあって、予備穴をドリル加工で開穿することは困難となっている。
【００２０】
特許文献５記載の発明は、突起を設けたスリット穴用パンチを使用しているが、これも予備穴加工が必要であり、予備穴なしでパンチの突起を設置すると打ち抜き形状が変形してしまうことになる。
【００２１】
そこで、本発明は、フレキシブルプリント基板に非スルーホールや不用部分の除去などの形状加工について、打ち抜き用パンチを使用して開口部を打ち抜き形成するパンチング加工方法において、打ち抜き用パンチが下型のパンチ穴からテーパ部へ突出する位置まで挿通されない短いストロークの金型を使用しても、フレキシブルプリント基板の抜きかすが下型の表面に飛び出すことなく、下型のテーパ部から順次下方へ排出されるようなパンチング加工方法を提供することを目的とする。
【課題を解決するための手段】
【００２２】
本発明は上記目的を達成するために提案されたものであり、請求項１記載の発明は、フレキシブルプリント基板に開口部を打ち抜き形成するパンチング加工であって、該パンチング加工する箇所が、絶縁層の片面または両面に銅箔が施されているパターン形成部位である場合のパンチング加工において、前記開口部をパンチング加工する前に、該開口部となる内側の前記パターン形成部位を予めエッチングにて除去して前記絶縁層を露出させておくことを特徴とするフレキシブルプリント基板のパンチング加工方法を提供する。
【００２３】
この構成によれば、非スルーホールのような銅箔が施されているパターン形成部位をパンチング加工する場合は、開口部となる内側の銅箔を予めエッチングで除去しておくことにより、抜きかすのうち銅箔が除去された部分は絶縁層のみとなるため屈曲しやすくなり、反発力が緩和されて抜きかすが下型の表面へ飛び出すことを防止できる。
【００２４】
請求項２記載の発明は、フレキシブルプリント基板に開口部を打ち抜き形成するパンチング加工であって、該パンチング加工する箇所が、絶縁層の片面または両面にシートやフィルムなどの回路基板用補材が貼着されている補材部位である場合のパンチング加工において、前記開口部をパンチング加工する前に、該開口部となる内側の前記補材を予め除去して前記絶縁層を露出させておくことを特徴とするフレキシブルプリント基板のパンチング加工方法を提供する。
【００２５】
この構成によれば、絶縁層にシートやフィルムなどの回路基板用補材が貼着されている部位をパンチング加工する場合は、開口部となる内側の補材を予め打ち抜き処理などで除去しておくことにより、抜きかすのうち補材が除去された部分は絶縁層のみとなるために屈曲しやすくなり、反発力が緩和されて抜きかすが下型の表面へ飛び出すことを防止できる。
【００２６】
請求項３記載の発明は、フレキシブルプリント基板に開口部を打ち抜き形成するパンチング加工であって、該パンチング加工する箇所に銅箔が施されてなく、絶縁層が露出している露出部位である場合のパンチング加工において、前記開口部をパンチング加工する前に、該開口部となる内側の前記露出部位に、予めパターン形成のエッチング処理時に絶縁層の片面または両面の少なくとも一部分に銅箔を残存させておくことを特徴とするフレキシブルプリント基板のパンチング加工方法を提供する。
【００２７】
この構成によれば、フレキシブルプリント基板に銅箔が施されてない部位をパンチング加工する場合は、開口部となる内側の絶縁層が露出している部位の少なくとも一部分に予め銅箔を残存させておくことにより、抜きかすの断面が凸形状となるので機械的強度が増加し、抜きかすの褶曲が抑制されて下型のパンチ穴の内周面に引っ掛かりやすくなり、打ち抜き用パンチへの真空吸着がなくなって抜きかすが下型の上部へ飛び出しことを防止できる。
【００２８】
請求項４記載の発明は、フレキシブルプリント基板に開口部を打ち抜き形成するパンチング加工であって、該パンチング加工する箇所に銅箔が施されてなく、絶縁層が露出している露出部位である場合のパンチング加工において、前記開口部をパンチング加工する前に、該開口部となる内側の前記露出部位に、予めソルダーレジスト層形成時に絶縁層の片面または両面にソルダーレジスト層を形成しておくことを特徴とするフレキシブルプリント基板のパンチング加工方法を提供する。
【００２９】
この構成によれば、フレキシブルプリント基板に銅箔が施されてない部位をパンチング加工する場合は、開口部となる内側の絶縁層が露出している部位の少なくとも一部分に予めソルダーレジスト層形を形成しておくことにより、抜きかすの断面が凸形状となるので機械的強度が増加し、抜きかすの褶曲が抑制されて下型のパンチ穴の内周面に引っ掛かりやすくなり、打ち抜き用パンチへの真空吸着がなくなって抜きかすが下型の上部へ飛び出すことを防止できる。
【発明の効果】
【００３０】
本発明は、上述したように、フレキシブルプリント基板の電子部品を搭載するための非スルーホール加工や不用部分の除去などの形状加工について、打ち抜き用パンチを使用して開口部を打ち抜き形成するパンチング加工方法において、打ち抜き用パンチが下型のパンチ穴からテーパ部へ突出する位置まで挿通されない短いストロークの金型を使用しても、フレキシブルプリント基板の抜きかすが下型の表面に飛び出すことなく、下型のテーパ部から効率よく順次下方へ排出されていくため、抜きかすに付随する種々の不具合を解消することができる。また、新たなパンチング加工を開始する直前に、毎回下型の表面に抜きかすがないことを確認する作業が不要となり、作業効率を飛躍的に向上することができる。
【発明を実施するための最良の形態】
【００３１】
以下、本発明に係るフレキシブルプリント基板のパンチング加工方法について、好適な実施例をあげて説明する。フレキシブルプリント基板のパンチング加工方法において、フレキシブルプリント基板の抜きかすが下型の表面に飛び出すことなく、下型のテーパ部から順次下方へ排出されるようなパンチング加工方法を提供するという目的を、例えば、フレキシブルプリント基板に開口部をパンチング加工する前に、該開口部となる内側の銅箔が施されているパターン形成部位を予めエッチングにて除去して絶縁層を露出させておくことにより実現した。
【００３２】
なお、説明の都合上、図７乃至図１６にて説明した構成と同一構成部分については、同一符号を使用して重複説明は省略する。
【実施例１】
【００３３】
図１はフレキシブルプリント基板に銅箔にて形成されたパターン部位（円形ランド）に円形の開口部（非スルーホール）を形成するパンチング加工の一例を示し、同図（１）は平面図、（２）はＸ−Ｘ線断面図である。フレキシブルプリント基板１４には絶縁層１７の両面に銅箔１６ａ，１６ｂによって円形ランド（配線パターン部分）が形成されており、破線Ａによって囲繞されている部分に開口部を打ち抜いて、非スルーホールを形成する。開口部となる破線Ａの内側部分１８は、予めエッチングにて銅箔を除去して絶縁層１７を露出させておく。
【００３４】
上記フレキシブルプリント基板１４の破線Ａ部分を打ち抜き用パンチ１３にてパンチング加工すれば、図２に示すように、抜きかす１５が下型１２のパンチ穴１２ａ内に蓄積されていくことになるが、抜きかす１５の内側部分１８は銅箔１６ａ，１６ｂが除去されて絶縁層１７のみとなるため屈曲しやすくなり、破線Ｂ部分に示すように、内側部分１８の変形が容易で、破線Ｃ部分に示すように、銅箔１６ａ，１６ｂが残存する抜きかす１５の周縁部と下型のパンチ穴１２ａの内周面との反発力が緩和されて、抜きかす１５が下型１２の表面へ飛び出すことを防止でき、抜きかす１５は順次下型のテーパ部１２ｂまで到達して効率よく下方へ排出される。
【００３５】
なお、前記破線Ｂ部分に示す抜きかす１５の変形は、フレキシブルプリント基板１４の絶縁層１７の可撓性によって異なるが、パンチングされる破線Ａの部分のうち、エッチングにて銅箔が除去される内側部分１８を破線Ａから０．３mm以内の領域で形成すれば効果的である。すなわち、破線Ａから０．３mm以内の位置まで銅箔１６ａ，１６ｂを残存させる。したがって、例えば円形ランドから１．０mmφの非スルーホールを形成する場合は、ハッチングにて銅箔を除去する内側部分１８を０．４mmφ以上とする。位置合わせ精度がよければ、銅箔を除去する内側部分１８をさらに大きくして０．６mmφ〜０．８mmφ程度にすることが好ましい。
【００３６】
また、パンチングによって形成される開口部の形状が、長手方向と短手方向とで近似した寸法である場合は、前述したように、打ち抜き形状と同一形状でかつ破線Ａから０．３mm以内の領域までエッチングによる銅箔除去部分を形成しておくことが好ましい。しかし、パンチングによって形成される開口部の形状が、長手方向と短手方向とで寸法差が１．５倍以上ある場合は、長手方向の端部に沿って銅箔を除去する部分を近接して設定すれば、必ずしもパンチングによる開口部と同一形状でなくてもよい。
【００３７】
例えば、図３（１）〜（３）に示す変形例のように、破線Ａの内側部分１８をそれぞれ種々の形状にエッチングして銅箔を除去しても、前述と同様の効果を得ことができる。これは、長手方向の方が抜きかすの変形がエッチングによって生じやすく、下型のパンチ穴１２ａと抜きかす１５との間の反発力緩和により一層の効果を有するためである。
【００３８】
なお、以上説明した実施例１におけるフレキシブルプリント基板１４では、絶縁層１７の両面に銅箔１６ａ，１６ｂがあるランドを示したが、片面のみに銅箔がある場合でも同様の効果が得られることは言うまでもない。
【００３９】
また、図示は省略するが、絶縁層の片面または両面に接着剤シート、粘着剤シート、接着剤若しくは粘着剤を少なくとも一方の面に有する補強板、電磁シールドシート、遮光フィルムなど、種々のシートやフィルムなどの回路基板用補材が貼着されている部位をパンチング加工にて開口部を形成するに場合も、開口部をパンチング加工する前に、該開口部となる内側の補材を予め打ち抜き処理などで除去しておくことにより、抜きかすのうち補材が除去された部分は絶縁層のみとなるため屈曲しやすくなり、反発力が緩和されて抜きかすが下型の表面へ飛び出すことを防止できる。補材を除去する領域については、図１乃至図３にて説明した銅箔を除去するパンチング加工と同様である。
【実施例２】
【００４０】
図４はフレキシブルプリント基板に銅箔がなく、絶縁層が露出している部位に不用部分となる円形の開口部を打ち抜き形成するパンチング加工の一例を示し、同図（１）は平面図、（２）はＹ−Ｙ線断面図である。フレキシブルプリント基板１４には、破線Ｄで示す開口部に銅箔が施されてなく、絶縁層１７が露出している。破線Ｄの内側部分には、予めパターン形成のエッチング処理時に、絶縁層１７の片面または両面の少なくとも一部分に銅箔を残すか、或いは、図示したように、予め絶縁層１７の片面または両面の少なくとも一部分にソルダーレジスト層２１ａ，２１ｂを形成しておく。
【００４１】
上記フレキシブルプリント基板１４の破線Ｄの内側部分を打ち抜き用パンチ１３にてパンチング加工すれば、図５に示すように、抜きかす１５が下型１２のパンチ穴１２ａ内に蓄積されていくことになるが、抜きかす１５の断面が凸形状となるので機械的強度が増加し、破線Ｅ部分及び破線Ｆ部分に示すように、抜きかす１５の褶曲が抑制されて下型のパンチ穴１２ａの内周面に引っ掛かりやすくなり、打ち抜き用パンチ１３への真空吸着がなくなって抜きかす１５が下型１２の上部へ飛び出しことを防止できる。
【００４２】
前記抜きかす１５の褶曲を抑制するためには、パンチングされる破線Ｄ部分のうち、銅箔またはソルダーレジスト層２１ａ，２１ｂを破線Ｄから０．３mm以内の領域で形成すれば効果的である。すなわち、破線Ｄから０．３mm以内の位置まで絶縁層１７を露出させておく。銅箔またはソルダーレジスト層２１ａ，２１ｂにて形成される凸状部分は、パンチ１３が抜きずれを生じないように考慮すると、破線Ｄから０．１mm〜０．３mm程度の領域で断面凸状部分を形成することが好ましい。したがって、例えば１．０mmφの円形を打ち抜く場合は、０．４mmφ〜０．８mmφ程度の断面凸状部分を形成する。
【００４３】
また、パンチングによって形成される開口部の形状が、長手方向と短手方向とで近似した寸法である場合は、前述したように、打ち抜き形状と同一に近い形状でかつ破線Ｄから０．３mm以内の領域まで銅箔またはソルダーレジスト層２１ａ，２１ｂにて断面凸状部分を形成しておくことが好ましい。しかし、断面凸状部分によって抜きかす１５の褶曲が抑制され、抜きかす１５が下型のパンチ穴１２ａの内周面に引っ掛かりやすく、抜きかす１５と打ち抜き用パンチ１３との真空吸着が緩和される形状であれば、必ずしもパンチングによる開口部と同一形状でなくてもよい。
【００４４】
例えば、図６（１）〜（３）に示す変形例のように、破線Ｄの内側にそれぞれ種々の形状に銅箔またはソルダーレジスト層２１ａ，２１ｂにて断面凸状部分を形成しても抜きかすの褶曲が抑制されて、前述と同様に効果を得ることができる。
【００４５】
尚、本発明は、本発明の精神を逸脱しない限り種々の改変を為すことができ、そして、本発明が該改変されたものに及ぶことは当然である。
【図面の簡単な説明】
【００４６】
【図１】本発明に係るフレキシブルプリント基板のパンチング加工の一例を示し、（１）はパンチング位置に銅箔が施されているランド形状の平面図。（２）は（１）のＸ−Ｘ線断面図。
【図２】図１に示すランド形状をパンチング加工したときの下型内での抜きかすの挙動を示す縦断面図。
【図３】（１）〜（３）は図１に示したランド形状の変形例を示す解説平面図。
【図４】本発明に係るフレキシブルプリント基板のパンチング加工の一例を示し、（１）はパンチング位置に銅箔が施されていないランド形状の平面図。（２）は（１）のＹ−Ｙ線断面図。
【図５】図４に示すランド形状をパンチング加工したときの下型内での抜きかすの挙動を示す縦断面図。
【図６】（１）〜（３）は図４に示したランド形状の変形例を示す解説平面図。
【図７】従来のパンチング型の概略構造を示す縦断面図。
【図８】図７に示すパンチング型を使用してフレキシブルプリント基板をパンチング加工方法を示す縦断面図。
【図９】図８に示すパンチング加工方法の次の工程を示す縦断面図。
【図１０】図９に示すパンチング加工方法の次の工程を示す縦断面図。
【図１１】従来のパンチング型でパンチのストロークが短い場合の下型内での抜きかすの挙動を示す縦断面図。
【図１２】従来のパンチング型でパンチのストロークが短い場合に抜きかすが下型のパンチ穴から飛び出す挙動を示す斜視図。
【図１３】従来のパンチング型で両面に銅箔が施されている部分をパンチング加工したときの抜きかすの縦断面図。
【図１４】従来のパンチング型で両面に銅箔が施されている部分をパンチング加工した場合に抜きかすが下型のパンチ穴から飛び出す挙動を示す縦断面図。
【図１５】従来のパンチング型で絶縁層のみの部分をパンチング加工したときの抜きかすの縦断面図。
【図１６】従来のパンチング型で絶縁層のみの部分をパンチング加工した場合に抜きかすが下型のパンチ穴から飛び出す挙動を示す縦断面図。
【符号の説明】
【００４７】
１１  上型
１２  下型
１２ａ  パンチ穴
１２ｂ  テーパ部
１３  打ち抜き用パンチ
１４  フレキシブルプリント基板
１５  抜きかす
１６ａ，１６ｂ  銅箔
１７  絶縁層
１８  破線Ａの内側部分
２１ａ，２１ｂ  ソルダーレジスト層
【図１】
2006190835.tif 000003
【図２】
2006190835.tif 000004
【図３】
2006190835.tif 000005
【図４】
2006190835.tif 000006
【図５】
2006190835.tif 000007
【図６】
2006190835.tif 000008
【図７】
2006190835.tif 000009
【図８】
2006190835.tif 000010
【図９】
2006190835.tif 000011
【図１０】
2006190835.tif 000012
【図１１】
2006190835.tif 000013
【図１２】
2006190835.tif 000014
【図１３】
2006190835.tif 000015
【図１４】
2006190835.tif 000016
【図１５】
2006190835.tif 000017
【図１６】
2006190835.tif 000018